【手続補正書】
【提出日】平成16年8月17日(2004.8.17)
【手続補正１】
【補正対象書類名】明細書
【補正対象項目名】全文
【補正方法】変更
【補正の内容】
【書類名】      明細書
【発明の名称】  パチンコ機
【特許請求の範囲】
【請求項１】  遊技盤を備えたパチンコ機であって、
前記遊技盤は、遊技面を表面に形成する透明板の裏面に意匠絵柄を形成する金属箔が付されてなる遊技面板の裏面を、その遊技盤の前面に重合してなることを特徴とするパチンコ機。
【請求項２】  請求項１記載のパチンコ機であって、
前記遊技面板の金属箔がアルミ箔であることを特徴とするパチンコ機。
【請求項３】  請求項１又は２記載のパチンコ機であって、
前記遊技面板の金属箔を前記透明板にホットスタンプ法によって加熱転写したことを特徴とするパチンコ機。
【発明の詳細な説明】
【０００１】
【発明の属する技術分野】
本発明は、パチンコ機に関する。
【０００２】
【従来の技術】
まず、一般的なパチンコ機の概要を図１６の分解斜視図を参照して述べる。外枠１の前側には、前枠２が開閉可能に取り付けられている。前枠２には、窓枠３が取り付けられている。窓枠３には、その前面を開閉するガラス扉４が回動可能に設けられている。また窓枠３には、ガラス扉４の下方において、その前面を開閉する打球供給器５が回動可能に設けられている。打球供給器５には上皿６が設けられている。前記前枠２の下部には、下皿７および打球発射ハンドル８が設けられている。前枠２の後側には基枠９が固定されている。基枠９には、その後面を開閉する基板１０が回動可能にかつ取り外し可能に設けられている。基板１０の前面には、前面に遊技面１２ａを形成する遊技盤１２が取り外し可能に設けられている。遊技盤１２の遊技面１２ａには、発射レール１３、図示しない釘、風車、各種入賞口、アウト口、装飾灯等が装備されている。このようなパチンコ機は、例えば特開平２−１１９８８４号公報に開示されている。
【０００３】
上記パチンコ機における遊技盤１２は、一般的に、図１７に斜視図でまた図１８に断面図で示すように、遊技面１２ａを形成するセルロイド成形品からなる透明板１４に、例えばＡＢＣ等の意匠絵柄１６を付してなる遊技面板（通称、セル板とも呼ばれる。）１５を備えている。図１８には、遊技盤１２の表裏面を貫通する開口孔１７の一つが示されている。意匠絵柄１６は、従来、透明板１４にシルク印刷あるいはオフセット印刷等の多色印刷することによって形成されている。なお、意匠絵柄１６を遊技面１２ａに付すとパチンコ球と接触して摩耗することから好ましくないため、通常、意匠絵柄１６は遊技面板１５の裏面に付されている。
【０００４】
【発明が解決しようとする課題】
従来の遊技面板１５においては、印刷によって形成された意匠絵柄１６であるため、輝きのある金属光沢や金属の質感を表現することが難しいという問題がある。仮に、金属粉を顔料の代わりに用いた印刷インクを使用したとしても、粒子の凹凸による乱反射を避けきれないため、金属本来の輝きのある光沢や金属本来の質感を表現することは難しかった。
【０００５】
本発明は上記した問題点を解決するためになされたものであって、本発明が解決しようとする課題は、意匠絵柄を輝きのある金属光沢および金属の質感で表現することのできる遊技盤を備えたパチンコ機を提供することにある。
【０００６】
【課題を解決するための手段】
前記課題を解決する請求項１の発明は、
遊技盤を備えたパチンコ機であって、
前記遊技盤は、遊技面を表面に形成する透明板の裏面に意匠絵柄を形成する金属箔が付されてなる遊技面板の裏面を、その遊技盤の前面に重合してなることを特徴とする。
請求項１記載のパチンコ機によると、遊技盤の前面に重合された遊技面板の意匠絵柄を形成する金属箔によって、輝きのある金属光沢および金属の質感を表現することができる。
【０００７】
請求項２の発明は、請求項１記載のパチンコ機であって、前記遊技面板の金属箔がアルミ箔であることを特徴とする。
請求項２記載のパチンコ機によると、遊技面板の意匠絵柄を形成するアルミ箔によって、輝きのあるアルミ光沢およびアルミの質感を表現することができる。
【０００８】
請求項３の発明は、請求項１又は２記載のパチンコ機であって、前記遊技面板の金属箔を前記透明板にホットスタンプ法によって加熱転写したことを特徴とする。
請求項３記載のパチンコ機によると、遊技面板の透明板に金属箔による意匠絵柄を安価に形成することができる。
【０００９】
【発明の実施の形態】
本発明の一実施の形態について図面にしたがって説明する。本実施の形態は従来例の一部を変更したものであるからその変更部分について詳述し、従来例と同一もしくは実質的に同一構成と考えられる部分には同一符号を付して重複する説明は省略する。
パチンコ機用遊技盤の遊技面板を斜視図で示した図１及び側面図で示した図２において、パチンコ機における遊技盤１２の遊技面板１５は、遊技面１２ａを形成する例えばセルロイド成形品からなる透明板１４の裏面に、例えば、星形の意匠絵柄１８を付してなる。なお、意匠絵柄１８は、実際には、従来のオフセット印刷により多色印刷されたセルロイド成形品からなる透明板１４の適宜ヶ所に部分的に付されるものであるが、ここでは説明の都合上、その意匠絵柄１８を付す部分のみ抜粋して述べる。
【００１０】
意匠絵柄１８は、透明板１４に周知のホットスタンプ法によって加熱転写したアルミ箔１９によって形成されている。また意匠絵柄１８には、絵柄の他、数字、記号、模様等が含まれる。なお、遊技面板１５は、前に述べたようにパチンコ機における遊技盤の前面に設けられる。
【００１１】
続いて、前記透明板１４にアルミ箔１９を加熱転写するホットスタンプ法の一例について説明する。まず、ホットスタンプ法に使用する箔押し用金型２０について、図３の側面図および図４の底面図を参照して述べる。箔押し用金型２０は、加熱型からなるもので、底面に型面２１に意匠絵柄１８に対応する星形の凸型面２２を有している。なお、透明板１４の裏面に意匠絵柄１８を付すことから、凸型面２２は意匠絵柄１８を反転した形状となる。
【００１２】
まず、箔押し前の状態の側面図を示した図５およびその斜視図を示した図６において、透明板１４と箔押し用金型２０との間に、アルミ箔１９が配置される。なおアルミ箔１９の下面には、予め熱溶融する接着剤１９ａが塗布されている。また透明板１４の遊技面１２ａとなる面（同一符号を付す。）を、図５に示すように下型２３の上面の型面２４に向けておく。
【００１３】
次に、箔押し状態の側面図を示した図７およびその斜視図を示した図８において、箔押し用金型２０を、加熱した状態でアルミ箔１９を介して透明板１４に押圧する。これにより、箔押し用金型２０の凸型面２２がアルミ箔１９の当該部分を透明板１４に押しつけ、その部分のアルミ箔１９の接着剤１９ａが箔押し用金型２０の熱によって溶融する。
【００１４】
次に、箔押し後の状態の側面図を示した図９およびその斜視図を示した図１０において、箔押し用金型２０を上昇させるとともに、前記接着剤１９ａを冷却させて硬化させる。これにより、前記箔押し用金型２０の凸型面２２に対応するアルミ箔１９の当該部分が前記接着剤１９ａの硬化によって前記透明板１４に接着される。
【００１５】
次に、アルミ箔１９の残余部の除去状態の側面図を示した図１１およびその斜視図を示した図１２において、前記アルミ箔１９の接着剤１９ａで接着されなかった残余部（符号、１９０を付す。）を透明板１４から捲ることにより除去すると、前記接着された部分１９が透明板１４上に残る。これにより、透明板１４にアルミ箔１９による星形の意匠絵柄１６が転写によって付され、図１及び図２に示される遊技面板１５が作成される。なお遊技面板１５は、アルミ箔１９による意匠絵柄だけでなく、印刷による意匠絵柄も併せて付すことができる。また各図におけるアルミ箔１９の厚みは誇張して表されている。
【００１６】
上記したパチンコ機によると、遊技盤１２の前面に重合された遊技面板１５の意匠絵柄１８を形成するアルミ箔１９によって、輝きのある金属光沢および金属の質感を表現することができる。
【００１７】
また、遊技面板１５の意匠絵柄１８を形成するアルミ箔１９によって、輝きのあるアルミ光沢およびアルミの質感を表現することができる。なお、アルミ箔１９に代え、金箔、銀箔、銅箔等の金属箔を使用することができる。
【００１８】
また、アルミ箔１９を透明板１４にホットスタンプ法によって加熱転写したことにより、遊技面板１５の透明板１４にアルミ箔１９による意匠絵柄１８を安価に形成することができる。なお、ホットスタンプ法に代え、アルミ箔１９等の金属箔をシールタイプにして透明板１４に貼着してもよいし、あるいは手作業により金属箔に接着剤を塗布して透明板１４に貼着することも可能である。
【００１９】
また、パチンコ機用遊技盤１２の遊技面板１５においては、例えば、遊技仕様がほとんど同じで、払出し数のみが異なる場合（兄弟機と呼ばれる機種。）は、遊技面１２ａのデザインは変えないで、機種名のみ変えることがよくある。このような場合には、図１３に正面図で示すように、機種名以外の所は従来通り多色印刷した意匠絵柄１６ａとし、機種名の部分はブランク部１５ｂにした透明板からなる遊技面板１５ａを用意しておく。そして、前記ブランク部１５ｂには、前に述べたようなホットスタンプ法によって金属箔を加熱転写することにより、例えば図１４に示すように、機種名「レイン」の意匠絵柄１８ａを形成したり、あるいは図１５に示すように、機種名「レイン２」の意匠絵柄１８ｂを形成したりする。これにより、遊技面板１５ａのデザインを共通化することができるので、コスト安になり、また機種名を金属箔による意匠絵柄１８ａ，１８ｂによってアピールすることができる。
【００２０】
本発明は前記実施の形態に限定されるものではなく、本発明の要旨を逸脱しない範囲における変更が可能である。例えば、透明板１４には、セルロイド製の他、ＡＢＳ樹脂、アクリル樹脂等の合成樹脂製、あるいはガラス製等の透明板を使用することができる。また透明板１４には、無色透明板１４に限らず、色付きの透明板、金属箔を透かせる程度の半透明板を使用することができる。
【００２１】
【発明の効果】
本発明のパチンコ機によれば、遊技盤の前面に重合された遊技面板の意匠絵柄を形成する金属箔によって、輝きのある金属光沢および金属の質感を表現することができる。
【図面の簡単な説明】
【図１】
遊技面板の斜視図である。
【図２】
遊技面板の側面図である。
【図３】
箔押し用金型の側面図である。
【図４】
箔押し用金型の底面図である。
【図５】
箔押し前の状態を示す側面図である。
【図６】
図５の斜視図である。
【図７】
箔押し状態を示す側面図である。
【図８】
図７の斜視図である。
【図９】
箔押し後の状態を示す側面図である。
【図１０】
図９の斜視図である。
【図１１】
アルミ箔の残余部の除去状態を示す側面図である。
【図１２】
図１１の斜視図である。
【図１３】
兄弟機用の遊技面板の正面図である。
【図１４】
図１３の遊技面板のブランク部の一例を示す図である。
【図１５】
図１３の遊技面板のブランク部の別例を示す図である。
【図１６】
パチンコ機の分解斜視図である。
【図１７】
従来の遊技盤の斜視図である。
【図１８】
遊技盤の部分断面図である。
【符号の説明】
１２  遊技盤
１２ａ  遊技面
１４  透明板
１５，１５ａ  遊技面板
１８，１８ａ，１８ｂ  意匠絵柄
１９  アルミ箔（金属箔）